(57)【要約】 【課題】低床化が可能で経済性に優れなおかつ下地パネルの固定作業を容易にする。【解決手段】本発明に係る二重床構造は、二重床用支持脚１を、その受け部材５が木質系材料からなる台座２０の中央近傍に形成された嵌合用開口２１に嵌め込まれるとともに該受け部材の円環状突起９で嵌合用開口２１の開口縁部を受ける状態となるようにＲＣスラブ２に立設し、歩行床３３のうち、最下層を構成する下地パネル３０，３０を、互いに対向するそれらの長手側縁部の間に離間スペース３５が形成され該離間スペースに嵌合用開口２１から突出する受け部材５の頭部近傍が位置決めされるように台座２０の上に載置し、該下地パネルの上に補剛パネル３１を上述した離間スペース３５を跨ぐように敷設してある。【選択図】  図３
2015017415.tif 000002
【特許請求の範囲】
【請求項１】
構造床から離間させた状態で該構造床の上方に歩行床を敷設してなる二重床構造において、
前記構造床の上面に載置され防振ゴムで形成された脚本体、該脚本体の頂部から延びる高さ調整ボルト、及び該高さ調整ボルトを介して前記脚本体に被せるように連結される受け部材を有し、前記受け部材を、前記脚本体に連結された状態において該脚本体を取り囲むように形成された円筒状周壁部とその一端を塞ぐように該円筒状周壁部に一体形成され前記高さ調整ボルトを螺合するボルト孔が形成された天板部とで構成するとともに、前記円筒状周壁部の他端近傍であってその外周面に円環状突起を延設した二重床用支持脚と、
中央近傍に形成された嵌合用開口にその開口縁部が前記円環状突起で受けられるように前記二重床用支持脚の受け部材が嵌め込まれた木質系材料からなる台座と、
互いに対向する長手側縁部の間に離間スペースが形成されるとともに該離間スペースに前記嵌合用開口から突出する前記受け部材の頭部近傍が位置決めされるように前記歩行床の最下層として前記台座の上に載置された下地パネルと、
該下地パネルの上に前記離間スペースを跨ぐように敷設された補剛パネルとを備えたことを特徴とする二重床構造。
【請求項２】
前記補剛パネルの上に無垢材からなる仕上げ材を前記歩行床の最上層として敷設し、又は前記補剛パネルの上に床暖房パネルを敷設するとともに該床暖房パネルの上に無垢材又は複合フローリングからなる仕上げ材を前記歩行床の最上層として敷設した請求項１記載の二重床構造。
【発明の詳細な説明】
【技術分野】
【０００１】
本発明は、主として住宅に採用される二重床構造に関する。
【背景技術】
【０００２】
マンションに代表される集合住宅では、カーペット敷きよりも衛生面に優れたフローリング仕上げが一般的となって久しいが、フローリング仕上げでは、上階で生じた床衝撃音に対する下階への遮音対策が重要となり、建築指針では、軽量衝撃源でＬ−４５、重量衝撃源でＬ−５０の遮音性能が推奨されている（「建築物の遮音性能基準と設計指針」、日本建築学会）。
【０００３】
最近では、居住快適性に対するニーズとも相俟って、ますます高い遮音性能が要求されるようになっており、厚さ２００ｍｍを越える鉄筋コンクリートスラブ（以下、ＲＣスラブ）の上に歩行床を敷設してなる二重床が標準的になりつつある。
【０００４】
ＲＣスラブ上に歩行床を構築するにあたっては、ＲＣスラブの上に平面２方向に所定ピッチで支持脚を配置した上、該支持脚にパーティクルボード等の下地パネルを載せ、次いで、該下地パネルにフローリング等の仕上げパネルを順次敷設して歩行床を構成するのが一般的であるが、建物側で階高を大きくとれない場合、ＲＣスラブ上方の二重床空間をできるだけ低く抑えて天井高を確保する必要が生じる。
【０００５】
上述の要請に応えるべく、低床化が可能な二重床構造が提案されており（特許文献１）、同文献記載の二重床構造によれば、防振ゴムと該防振ゴムから延びる支持ボルトが螺合される支持プレートとで支持脚を構成するとともに、支持プレートを、支持ボルトが螺合される中央領域がそれを取り囲む周辺領域よりも突出するように形成してあるため、隣り合う下地パネルの隙間に支持脚を配置した上、支持プレートの周辺領域に下地パネルを載せるようにすれば、下地パネルの配置高さを下げることが可能となる。
【先行技術文献】
【特許文献】
【０００６】
【特許文献１】特開２０１２−１９１５号公報
【発明の概要】
【発明が解決しようとする課題】
【０００７】
ここで、上述の二重床構造では、下地パネル同士の取合い箇所に支持脚を配置するためのスペースを確保する必要があるが、仕上げ材に過度なせん断力や曲げモーメントが生じて損傷したり、良好な歩行感が損なわれたりといった事態を回避するためには、下地パネル同士の隙間を１２ｍｍ程度以下に収めなければならない。さりとて、その対処として長手側縁部に切欠きを形成するのは、切欠き加工に時間と手間がかかりすぎる。
【０００８】
そこで、特許文献１記載の二重床構造では、下地パネルの縦横比を１：１あるいは１：１．５といった正方形若しくはそれに近い比率にした上、その隅部を三角状に切り欠く構成が採用されている。
【０００９】
このようにすれば、三角形状の各切欠き空間が下地パネルの取合い箇所で一体化されてより広いスペースとなるため、支持脚を十分に設置することができるとともに、長手側縁部同士は、従前通り、１２ｍｍ程度以下の隙間に収めることができる。
【００１０】
しかしながら、かかる二重床構造では、広く流通している２×６尺サイズの汎用パネルを用いることができないため、下地パネルの調達にコストがかかるという問題や、隅部の切欠きで足りるとは言え、下地パネルに切欠き加工を施す必要があることには代わりはなく、その時間や手間が負担になるという問題を生じる。
【００１１】
加えて、支持プレートに載せた下地パネルを該支持プレートに固定するためには、下地パネルの上面からセルフタッピングスクリューをねじ込んで支持プレートのネジ孔に螺合する必要があるところ、下地パネルが載せられた状態でしかもその上に作業員が乗った状態では、支持脚の水平位置を微調整することができず、場合によっては、セルフタッピングスクリューのねじ込みを何度もやり直さねばなければならないなど、支持プレートへの下地パネルの固定作業に時間を要するという問題も生じていた。
【課題を解決するための手段】
【００１２】
本発明は、上述した事情を考慮してなされたもので、低床化が可能で経済性にも優れなおかつ下地パネルの固定が容易な二重床構造を提供することを目的とする。
【００１３】
上記目的を達成するため、本発明に係る二重床構造は請求項１に記載したように、構造床から離間させた状態で該構造床の上方に歩行床を敷設してなる二重床構造において、
前記構造床の上面に載置され防振ゴムで形成された脚本体、該脚本体の頂部から延びる高さ調整ボルト、及び該高さ調整ボルトを介して前記脚本体に被せるように連結される受け部材を有し、前記受け部材を、前記脚本体に連結された状態において該脚本体を取り囲むように形成された円筒状周壁部とその一端を塞ぐように該円筒状周壁部に一体形成され前記高さ調整ボルトを螺合するボルト孔が形成された天板部とで構成するとともに、前記円筒状周壁部の他端近傍であってその外周面に円環状突起を延設した二重床用支持脚と、
中央近傍に形成された嵌合用開口にその開口縁部が前記円環状突起で受けられるように前記二重床用支持脚の受け部材が嵌め込まれた木質系材料からなる台座と、    
互いに対向する長手側縁部の間に離間スペースが形成されるとともに該離間スペースに前記嵌合用開口から突出する前記受け部材の頭部近傍が位置決めされるように前記歩行床の最下層として前記台座の上に載置された下地パネルと、
該下地パネルの上に前記離間スペースを跨ぐように敷設された補剛パネルとを備えたものである。
【００１４】
また、本発明に係る二重床構造は、前記補剛パネルの上に無垢材からなる仕上げ材を前記歩行床の最上層として敷設し、又は前記補剛パネルの上に床暖房パネルを敷設するとともに該床暖房パネルの上に無垢材又は複合フローリングからなる仕上げ材を前記歩行床の最上層として敷設したものである。
【００１５】
本発明に係る二重床構造においては、二重床用支持脚を、その受け部材が木質系材料からなる台座の中央近傍に形成された嵌合用開口に嵌め込まれるとともに該受け部材の円環状突起で嵌合用開口の開口縁部を受ける状態となるように構造床に立設し、歩行床のうち、最下層を構成する下地パネルを、互いに対向するそれらの長手側縁部の間に離間スペースが形成され該離間スペースに嵌合用開口から突出する受け部材の頭部近傍が位置決めされるように台座の上に載置し、該下地パネルの上に補剛パネルを上述した離間スペースを跨ぐように敷設してある。
【００１６】
このようにすると、下地パネル同士を離間させることでそれらの間に形成される離間スペースを二重床用支持脚の設置スペースとすることが可能となり、従来のように下地パネルに切欠き加工を施す必要がなくなるとともに、下地パネルのサイズや形状についても制限がなくなるので、汎用パネルを使用することも可能となる。
【００１７】
加えて、下地パネルを台座に固定する際には、下地パネルの上面からねじ込んだセルフタッピングスクリューを木質系材料からなる台座にさらにねじ込むことができるため、下地パネルを二重床用支持脚に固定する際の作業性が大幅に改善される。
【００１８】
一方、歩行床の上載荷重は、補剛パネルを介して下地パネルに伝達されるため、下地パネル同士が離間していても、仕上げ材に過度なせん断力や曲げモーメントが生じたり、良好な歩行感が損なわれたりといった事態は起こり得ないし、受け部材を台座の嵌合用開口に嵌め込んだとき、該嵌合用開口の開口縁部を受け部材の円環状突起で受けるようにしたので、歩行床の上載荷重を構造床に確実に伝達させることも可能となる。
【００１９】
構造床は、主としてＲＣスラブその他コンクリート系スラブが想定されるが、歩行床の上載荷重を柱や壁に伝達するものである限り、コンクリート系スラブに限定されるものではなく、例えば木質系梁の上に床板が架け渡されてなるものも包摂される。
【００２０】
台座は、木質系材料で構成されるものであって、例えば正方形の板材の中央に円形の嵌合用開口を形成して構成することができるため、工場製作するほか、二重床を構築する建築現場でそのつど製作することも可能である。
【００２１】
歩行床のうち、最下層である下地パネル及びその上に積層される補剛パネルの上方をどのように構成するかは任意であるが、下層に補剛パネルが敷設されることから、収縮性のパネルや床暖房パネルであっても使用が可能であり、例えば、補剛パネルの上に無垢材からなる仕上げ材を歩行床の最上層として敷設し、又は補剛パネルの上に床暖房パネルを敷設するとともに該床暖房パネルの上に無垢材又は複合フローリングからなる仕上げ材を歩行床の最上層として敷設した構成を採用することができる。
【図面の簡単な説明】
【００２２】
【図１】本実施形態で用いる二重床用支持脚１の組立斜視図。
【図２】同じく二重床用支持脚１の組立断面図。
【図３】本実施形態に係る二重床構造３４を示した図であり、(a)は詳細平面図、(b)はＡ−Ａ線に沿う鉛直詳細断面図。
【図４】下地パネル３０を２×６尺サイズの汎用パネルで構成した場合における二重床構造の施工手順図。
【図５】下地パネル３０を台座２０に固定する様子を示した施工手順図。
【発明を実施するための形態】
【００２３】
以下、本発明に係る二重床構造の実施の形態について、添付図面を参照して説明する。
【００２４】
図１は、本実施形態で用いる二重床用支持脚１を示した組立斜視図、図２は同じく組立断面図である。これらの図でわかるように、本実施形態で用いる二重床用支持脚１は、構造床としてのＲＣスラブ２の上面に載置される脚本体３と、該脚本体の頂部から延びる高さ調整ボルト４と、該高さ調整ボルトを介して脚本体３に被せるように該脚本体に連結される受け部材５とを備える。
【００２５】
脚本体３は防振ゴムで形成してあり、歩行床に作用する衝撃による音や振動を減衰させるようになっている。
【００２６】
受け部材５は、脚本体３に連結された状態において該脚本体を取り囲むように形成された円筒状周壁部６と、その一端を塞ぐように該円筒状周壁部に一体形成された天板部８とで構成してあるとともに、該天板部には、高さ調整ボルト４が螺合されるボルト孔７を形成してあり、該ボルト孔に高さ調整ボルト４を螺合した状態で高さ調整ボルト４をその材軸回りに回すことにより、受け部材５の保持高さを調整することができるようになっている。
【００２７】
一方、円筒状周壁部６の他端近傍であってその外周面には円環状突起９を延設してあり、平面形が正方形をなし木質系材料で構成されてなる台座２０の中央近傍に形成された円形の嵌合用開口２１に受け部材５を嵌め込んだとき、該嵌合用開口の開口縁部を円環状突起９で受けることができるようになっている。
【００２８】
このように、円環状突起９は、台座２０の設置高さ、ひいてはその上に載置される後述の歩行床（図示せず）の設置高さを決定付けるものであるため、受け部材５を構成するにあたっては、円環状突起９の上面位置、換言すれば円筒状周壁部６の高さが、低床化の程度に応じた寸法となるように適宜構成する。
【００２９】
なお、天板部８と円筒状周壁部６とが取り合う箇所には、円環状突起９に鉛直荷重が作用したとき、天板部８が面外変形することなく、該鉛直荷重を高さ調整ボルト４を介して脚本体３に確実に伝達させることができるよう、図１でよくわかるように溝状のリブ１０を９０゜ごとに計４本形成してある。なお、図２については、図面の便宜上、リブ１０を省略した。
【００３０】
図３は、本実施形態に係る二重床構造３４を示した図である。二重床構造３４は、ＲＣスラブ２から離間させた状態で該ＲＣスラブの上方に歩行床３３を敷設してなるものであって、ＲＣスラブ２に立設された二重床用支持脚１と、嵌合用開口２１の開口縁部を円環状突起９で受けることができるように該嵌合用開口に受け部材５が嵌め込まれた台座２０と、互いに対向する長手側縁部の間に離間スペース３５が形成されるとともに該離間スペースに嵌合用開口２１から突出する受け部材５の頭部近傍が位置決めされるように該台座の上に載置された下地パネル３０と、離間スペース３５を跨ぐように該下地パネルの上に敷設された補剛パネル３１と、該補剛パネルの上に積層された仕上げ材３２とで構成してあり、下地パネル３０、補剛パネル３１及び仕上げ材３２は、上述した歩行床３３を構成する。
【００３１】
図４は、パーティクルボードで構成された２×６尺サイズの汎用パネルを下地パネル３０に用いた場合の二重床構造の施工手順を示した全体平面図である。かかる二重床構造を施工するには、同図(a)に示すように、まず、二重床用支持脚１をＲＣスラブ２の上に列状に複数立設する。
【００３２】
次に、二重床用支持脚１の受け部材５が台座２０に形成された嵌合用開口２１に嵌り込んだ状態となるように該台座を二重床用支持脚１に取り付ける。
【００３３】
台座２０は、例えば大きさが１２０ｍｍ×１２０ｍｍ程度、厚みが１５ｍｍ程度の板材を切り出し、その中央に嵌合用開口２１となる円形開口を内径５０ｍｍ程度の大きさで加工して構成することができるものであり、現地で製作することが可能である。
【００３４】
台座２０は、二重床用支持脚１に先付けした状態で設置してもよいし、二重床用支持脚１を列状に複数配置した後で設置してもよい。
【００３５】
次に、２×６尺サイズ、すなわち６００×１８２０ｍｍの汎用パネルで構成された下地パネル３０を敷設するが、その敷設にあたっては、図３で説明したように、下地パネル３０のうち、互いに対向する長手側縁部の間に離間スペース３５が形成され、かつ該離間スペースに嵌合用開口２１から突出する受け部材５の頭部近傍が位置決めされるように、台座２０の上に下地パネル３０を載置する。
【００３６】
離間スペース３５の幅は、例えば５０ｍｍ程度に設定すればよい。
【００３７】
次に、図５に示すように、下地パネル３０の上面からセルフタッピングスクリュー５１をねじ込むとともに、該セルフタッピングスクリューを台座２０にさらにねじ込むことで、下地パネル３０を台座２０に固定する。
【００３８】
次に、図４(b)に示すように、補剛パネル３１を、離間スペース３５を跨ぐようにして下地パネル３０の上に敷設する。
【００３９】
補剛パネル３１は、例えば９１０ｍｍ×１８２０ｍｍ程度のいわゆる捨張り合板を用いることができる。
【００４０】
補剛パネル３１を敷設したならば、その上に仕上げ材３２を敷設する。
【００４１】
仕上げ材３２は、例えば無垢材で構成することができる。
【００４２】
以上説明したように、本実施形態に係る二重床構造によれば、下地パネル３０，３０同士を離間させることで、それらの間に形成される離間スペース３５を二重床用支持脚１の設置スペースとすることが可能となり、従来のように下地パネルに切欠き加工を施す必要がなくなるとともに、下地パネルのサイズや形状についても制限がなくなるので、汎用パネルを使用することも可能となる。
【００４３】
加えて、下地パネル３０を台座２０に固定する際には、下地パネル３０の上面からねじ込んだセルフタッピングスクリュー５１を木質系材料からなる台座２０にさらにねじ込むことができるため、下地パネル３０を二重床用支持脚１に固定する際の作業性が大幅に改善される。
【００４４】
一方、歩行床３３の上載荷重は、補剛パネル３１を介して下地パネル３０に伝達されるため、下地パネル３０，３０同士が離間していても、仕上げ材３２に過度なせん断力や曲げモーメントが生じたり、良好な歩行感が損なわれたりといった事態は起こり得ないし、受け部材５を台座２０の嵌合用開口２１に嵌め込んで該嵌合用開口の開口縁部を受け部材５の円環状突起９で受けるようにしたので、歩行床３３の上載荷重をＲＣスラブ２に確実に伝達させることも可能となる。
【００４５】
本実施形態では、現地製作された台座を用いることを想定して、二重床用支持脚の構成要素に台座が含まれないものとしたが、台座を二重床用支持脚の構成要素の一つとすることももちろん可能である。
【００４６】
また、本実施形態では、無垢材からなる仕上げ材３２を歩行床３３の最上層としたが、これに代えて、床暖房パネルと該床暖房パネルの上に敷設される無垢材又は複合フローリングからなる仕上げ材とで歩行床の最上層を構成するようにしてもかまわない。
【符号の説明】
【００４７】
１            二重床用支持脚
２            ＲＣスラブ（構造床）
３            脚本体
４            高さ調整ボルト
５            受け部材
６            円筒状周壁部
７            ボルト孔
８            天板部
９            円環状突起
２０            台座
２１            嵌合用開口
３０            下地パネル
３１            補剛パネル
３２            仕上げ材
３３            歩行床
３４            二重床構造
３５            離間スペース
【図１】
2015017415.tif 000003
【図２】
2015017415.tif 000004
【図３】
2015017415.tif 000005
【図４】
2015017415.tif 000006
【図５】
2015017415.tif 000007